(57)【要約】【課題】予め必要な金額の現金をドロアに収納するにあたっての人的負担が軽減されるようにする。【解決手段】自動釣銭機から回収すべき貨幣種別ごとの回収枚数を示す回収枚数指定情報を記憶する回収枚数指定情報記憶部と、自動釣銭機からの回収対象の貨幣の排出を指示する操作が行われるのに応じて、自動釣銭機に収納されている貨幣のうちから、前記回収枚数指定情報が示す貨幣種別ごとの回収枚数による貨幣が自動釣銭機から排出されるように制御する貨幣回収制御部とを備えて貨幣管理装置を構成する。【選択図】図２
2015064810.tif 000002
【特許請求の範囲】
【請求項１】
自動釣銭機から回収すべき貨幣種別ごとの回収枚数を示す回収枚数指定情報を記憶する回収枚数指定情報記憶部と、
自動釣銭機からの回収対象の貨幣の排出を指示する操作が行われるのに応じて、自動釣銭機に収納されている貨幣のうちから、前記回収枚数指定情報が示す貨幣種別ごとの回収枚数による貨幣が自動釣銭機から排出されるように制御する貨幣回収制御部と
を備える貨幣管理装置。
【請求項２】
自動釣銭機からの貨幣の回収に関する操作が行われる貨幣回収操作画面の表示を指示する操作が行われるのに応じて、自動釣銭機において収納されている貨幣種別ごとの枚数を示す収納枚数情報を前記自動釣銭機から取得する収納枚数情報取得部と、
前記収納枚数情報取得部により取得された収納枚数情報に基づいて、前記自動釣銭機に収納されている貨幣種別ごとの枚数を前記貨幣回収操作画面において表示する表示制御部と
をさらに備える請求項１に記載の貨幣管理装置。
【請求項３】
前記表示制御部は、
自動釣銭機に収納されている貨幣種別ごとの枚数とともに、前記回収枚数指定情報記憶部が記憶する回収枚数指定情報が示す貨幣種別ごとの回収枚数を前記貨幣回収操作画面において表示する
請求項２に記載の貨幣管理装置。
【請求項４】
前記貨幣回収操作画面において表示されている貨幣種別ごとの回収枚数を変更する操作が行われるのに応じて、前記回収枚数指定情報記憶部が記憶する回収枚数指定情報を変更する回収枚数指定情報管理部をさらに備える
請求項３に記載の貨幣管理装置。
【請求項５】
前記表示制御部は、
前記自動釣銭機に収納されている枚数と回収枚数との貨幣種別ごとの差分を前記貨幣回収操作画面において表示する
請求項３または４に記載の貨幣管理装置。
【請求項６】
前記表示制御部は、
前記差分がゼロあるいはゼロより少ない貨幣種別について、前記差分がゼロより大きい貨幣種別とは異なる所定の態様により表示する
請求項５に記載の貨幣管理装置。
【請求項７】
前記表示制御部は、
商品を登録する操作が行われる商品登録画面を表示するとともに、前記商品登録画面において貨幣回収操作画面の表示を指示する操作が可能なように表示する
請求項２から６のいずれか一項に記載の貨幣管理装置。
【発明の詳細な説明】
【技術分野】
【０００１】
本発明は、貨幣管理装置に関する。
【背景技術】
【０００２】
ＰＯＳ端末と自動釣銭とドロアとを備えたＰＯＳシステム（商品販売データ処理システム）が知られている（例えば、特許文献１）。
このようなＰＯＳシステムでは、閉店後において、防犯のためにドロア内に残っている現金を自動釣銭機に移したうえで、自動釣銭機に収納されている現金を回収するという終了作業を行っている。
上記の終了作業において、自動釣銭機に収納されている現金を回収する際、自動釣銭機は、予め貨幣種別ごとに定めた一定枚数を残したうえで現金を排出する。このように現金を排出させることによる現金の回収については、残置などとも呼ばれる。このような残置が行われることにより、次の営業を開始するにあたって用意すべき釣銭が自動釣銭機内において確保される。
【先行技術文献】
【特許文献】
【０００３】
【特許文献１】特開２００８−２９３２５０号公報
【発明の概要】
【発明が解決しようとする課題】
【０００４】
ドロアは、自動釣銭機に収納される釣銭の不足に備えて予備の貨幣を収納する目的で備えられている。しかし、上記のように、閉店後の終了作業が行われることによっては、ドロアの中が空になる。このために、開店準備にあたっては、貨幣種別ごとに必要な枚数の現金をドロアに収納するという作業が必要になる。このような作業は、現状においては、店員が開店前において事務所などから現金を持参し、持参した現金をドロアに収納するというかたちで行われている。
このように、現状においては、開店準備にあたり、店員がドロアに収納するのに必要な現金を事務所などからドロアまで持ち運ぶという作業が行われている。このとき、店員は、貨幣種別ごとに必要な枚数を逐一確認して現金を準備するという面倒な作業を強いられる。
【０００５】
本発明は、このような事情に鑑みてなされたもので、必要な金額の現金を準備するにあたっての人的負担が軽減されるようにすることを目的とする。
【課題を解決するための手段】
【０００６】
上述した課題を解決するために、本発明の一態様としての貨幣管理装置は、自動釣銭機から回収すべき貨幣種別ごとの回収枚数を示す回収枚数指定情報を記憶する回収枚数指定情報記憶部と、自動釣銭機からの回収対象の貨幣の排出を指示する操作が行われるのに応じて、自動釣銭機に収納されている貨幣のうちから、前記回収枚数指定情報が示す貨幣種別ごとの回収枚数による貨幣が自動釣銭機から排出されるように制御する貨幣回収制御部とを備える。
上記構成により、予め設定した貨幣種別ごとの枚数により一定額を自動釣銭機から排出させることができる。これにより、自動釣銭機から排出させた現金をそのままドロアに収納することが可能になる。
【０００７】
また、上記の貨幣管理装置において、自動釣銭機からの貨幣の回収に関する操作が行われる貨幣回収操作画面の表示を指示する操作が行われるのに応じて、自動釣銭機において収納されている貨幣種別ごとの枚数を示す収納枚数情報を前記自動釣銭機から取得する収納枚数情報取得部と、前記収納枚数情報取得部により取得された収納枚数情報に基づいて、前記自動釣銭機に収納されている貨幣種別ごとの枚数を前記貨幣回収操作画面において表示する表示制御部とをさらに備えてもよい。
これにより、自動釣銭機に収納されている貨幣についての貨幣種別ごとの枚数を貨幣回収操作画面上で確認することができる。
【０００８】
また、上記の貨幣管理装置において、前記表示制御部は、自動釣銭機に収納されている貨幣種別ごとの枚数とともに、前記回収枚数指定情報記憶部が記憶する回収枚数指定情報が示す貨幣種別ごとの回収枚数を前記貨幣回収操作画面において表示してもよい。
これにより、自動釣銭機に収納されている貨幣について、貨幣種別ごとの枚数と併せて、自動釣銭機から回収すべき貨幣種別ごとの枚数を貨幣回収操作画面上で確認することができる。
【０００９】
また、上記貨幣管理装置において、前記貨幣回収操作画面において表示されている貨幣種別ごとの回収枚数を変更する操作が行われるのに応じて、前記回収枚数指定情報記憶部が記憶する回収枚数指定情報を変更する回収枚数指定情報管理部をさらに備えてもよい。
これにより、貨幣回収操作画面上で貨幣種別ごとの回収枚数を変更する操作によって、回収枚数指定情報の内容を変更することが可能になる・
【００１０】
また、上記貨幣管理装置において、前記表示制御部は、前記自動釣銭機に収納されている枚数と回収枚数との貨幣種別ごとの差分を前記貨幣回収操作画面において表示してもよい。
これにより、貨幣回収操作画面上で、自動釣銭機に収納されている枚数と回収枚数との差分を貨幣種別ごとに確認することができる。
【００１１】
また、上記貨幣管理装置において、前記表示制御部は、前記差分がゼロあるいはゼロより少ない貨幣種別について、前記差分がゼロより大きい貨幣種別とは異なる所定の態様により表示してもよい。
これにより、自動釣銭機から現金の回収を行った場合に自動釣銭機に収納される残りの枚数が無くなってしまう貨幣種別があることを貨幣回収操作画面上で通知することができる。
【００１２】
また、上記貨幣管理装置において、前記表示制御部は、商品を登録する操作が行われる商品登録画面を表示するとともに、前記商品登録画面において貨幣回収操作画面の表示を指示する操作が可能なように表示してもよい。
これにより、表示される頻度の高い商品登録画面に対する操作によって、簡単に貨幣回収操作画面を表示することが可能になる。
【発明の効果】
【００１３】
以上説明したように、本発明によれば、必要な金額の現金を準備するにあたっての人的負担が軽減されるようになる。
【図面の簡単な説明】
【００１４】
【図１】本実施形態におけるＰＯＳシステムの構成例を示す図である。
【図２】本実施形態におけるＰＯＳ端末装置の構成例を示す図である。
【図３】本実施形態におけるＰＯＳ端末装置におけるＲＡＭのメモリマップの例を示す図である。
【図４】本実施形態における回収枚数指定情報の構造例を示す図である。
【図５】本実施形態における自動釣銭機の構成例を示す図である。
【図６】本実施形態における商品登録画面の態様例を示す図である。
【図７】本実施形態における貨幣回収操作画面の態様例を示す図である。
【図８】本実施形態において、回収方法の選択に応じて変更された貨幣回収操作画面の表示内容例を示す図である。
【図９】本実施形態において、開設処理実行前の段階において表示される開設処理画面の態様例を示す図である。
【図１０】本実施形態において、開設処理実行中において表示される開設処理画面の態様例を示す図である。
【図１１】本実施形態におけるＰＯＳ端末装置が自動釣銭機からの現金の回収に応じて実行する処理手順例を示すフローチャートである。
【図１２】本実施形態における自動釣銭機が現金の排出のために実行する処理手順例を示すフローチャートである。
【発明を実施するための形態】
【００１５】
図１は、本実施形態のＰＯＳ（Point Of Sales）システムの構成例を示している。この図に示すＰＯＳシステムは、ＰＯＳ端末装置１００、ドロア２００及び自動釣銭機３００を備える。ドロア２００及び自動釣銭機３００は、それぞれ、ＰＯＳ端末装置１００に対して接続される。
【００１６】
ＰＯＳ端末装置１００の正面右側にはレシート発行部１０１が設けられる。このレシート発行部１０１は、ＰＯＳ端末装置１００内部の印字部（図示せず）により印字したレシートなどが排出される部位である。
また、ＰＯＳ端末装置１００の正面には液晶タッチパネル１１４が設けられる。液晶タッチパネル１１４は各種の操作画像を表示するとともに、タッチ操作を受け付ける。店員（オペレータ）は、液晶タッチパネル１１４に表示される操作画像を見ながら、液晶タッチパネル１１４に対してタッチ操作を行う。これにより、登録モードや設定モードなどのモード切り換えやプリセットキーによる商品登録や、各種ファイル設定などを行うことができる。
客側表示部１１５は、顧客に対して買い上げ金額、釣り銭の金額などを表示する。
【００１７】
キー操作部１１７は、テンキー、現計キー、入金、支払、釣準備、売上回収及び商品登録に関する各種キーなどが配置される。
【００１８】
カードリーダライタ１１８は、プリペイドカードによる支払いのために設けられる。つまり、カードリーダライタ１１８に対してプリペイドカードを挿入し、例えばＰＯＳ端末装置１００において備えられる対応の会計キーを操作する。これにより、ＰＯＳ端末装置１００は、支払額分をプリペイドカードが記憶する残額から減算される。この際、カードリーダライタ１１８は、挿入されたプリペイドカードに記憶されている残額の読み込みを行ってＰＯＳ端末装置１００に出力する。また、支払代金分を減算した残額をプリペイドカードに書き込む。
【００１９】
ドロア２００は、現金が金種（貨幣種別）ごとに分別された状態で収納される部位である。
【００２０】
自動釣銭機３００は、内部にＣＰＵ（Central Processing Unit）及びメモリから成る制御部を備え、この制御部により貨幣種別ごとの在高管理、釣銭の払出し制御などの各種制御を行う。
自動釣銭機３００において、紙幣投入部３０３には支払いに顧客が渡した預かり金のうちの紙幣が投入され、硬貨投入部３０４は上記預かり金のうちの硬貨が投入される。自動釣銭機３００は、これらの投入された紙幣や硬貨を貨幣種別別に自動的に仕分けて収納する。
【００２１】
また、自動釣銭機３００は、ＰＯＳ端末装置１００から通知された買上金額と上記預かり金として紙幣投入部３０３と硬貨投入部３０４に入金された入金金額とに基づいて釣銭を算出する。そして、自動釣銭機３００は、この算出した釣銭についての貨幣種別ごとの枚数についての内訳を決定し、この内訳にしたがって、貨幣を紙幣排出部３０１と硬貨排出部３０２から排出する。このように、自動釣銭機３００による釣銭の払い出しが行われる。なお、紙幣排出部３０１と硬貨排出部３０２は、それぞれ貨幣排出部の一例である。
【００２２】
また、本実施形態の自動釣銭機３００は、ＰＯＳ端末装置１００に対して行われる操作に応じて、内部に収納している現金のうちから、貨幣種別ごとに予め定められた枚数に従った現金を紙幣排出部３０１と硬貨排出部３０２から排出することができる。このように排出された現金は、自動釣銭機３００における釣銭用の現金が不足した場合の予備として予め用意しておくべき現金としてドロア２００に収納される。
【００２３】
閉店後においては、閉店作業として、盗難などの防止のために、ドロア２００に残っている現金を自動釣銭機３００に移すことが行われている。これにより、ドロア２００の中は空になる。このために、これまでにおいては、次の日の開店前において、店員がドロア２００に準備しておくのに必要な現金を事務所まで引き取りに行き、引き取った現金をドロア２００に収納するという作業が行われていた。
これに対して、本実施形態であれば、上記のように、店員がＰＯＳ端末装置１００を操作することによって、ドロア２００に準備しておくべき一定額の現金が、予め定められた貨幣種別ごとの枚数により自動釣銭機３００から排出される。これにより、店員は、排出された現金を、すぐ近くのドロア２００に移すだけでよい。つまり、本実施形態においては、ドロア２００に現金を収納するにあたり、事務所などからドロア２００まで移動する手間が省かれ、人的負担が軽減される。
【００２４】
本実施形態の自動釣銭機３００は、例えば、予め定められた貨幣種別ごとの枚数により現金を排出するにあたり、貨幣種別ごとに順次排出する。この際、自動釣銭機３００は、紙幣排出部３０１または硬貨排出部３０２に排出した貨幣の全てが取り出されるまでは次の貨幣種別の排出を待機し、排出した貨幣の全てが取り出されたのに応じて貨幣種別の排出を待機する。
これにより、店員は、貨幣種別ごとに応じて順々に現金をドロア２００に収納していくことが可能になり、ドロア２００への現金の収納作業を効率良く行うことができる。
【００２５】
また、本実施形態のドロア２００は、手前側に引き出すようにして開けられる。そのうえで、ドロア２００においては、奥側に紙幣を貨幣種別ごとに分別して収納する収納部が配列され、手前側において硬貨を貨幣種別ごとに分別して収納する収納部が配列されている。
このようなドロア２００の構造の場合において貨幣種別ごとの貨幣を収納していくにあたっては、まず、奥側に収納部がある紙幣から収納し、次に、手前側に収納部がある硬貨を収納するという手順とすることが収納作業としては効率がよい。
そこで、本実施形態の自動釣銭機３００は、貨幣種別ごとに順次現金を排出するにあたり、先に紙幣の貨幣種別の現金を排出し、次に硬貨の貨幣種別の現金を排出する。これにより、ドロア２００に対する収納作業をさらに効率よく行うことが可能になる。
【００２６】
図２は、ＰＯＳ端末装置１００（貨幣管理装置の一例）の構成例を示している。なお、この図において、図１と同一部分には同一符号を付している。この図に示すＰＯＳ端末装置１００は、ＣＰＵ１１１、ＲＯＭ１１２、ＲＡＭ１１３、液晶タッチパネル１１４、客側表示部１１５、印字部１１６、キー操作部１１７、カードリーダライタ１１８及びシリアル通信部１１９を備える。
【００２７】
ＣＰＵ１１１は、ＲＯＭ（Read Only Memory）１１２及びＲＡＭ（Random Access Memory）１１３とともにコンピュータを形成している。ＣＰＵ１１１は、ＲＯＭ１１２に記憶されているプログラムを実行することによりＰＯＳ端末装置１００としての各種動作を実現する。
ＣＰＵ１１１は、貨幣回収制御部、収納枚数情報取得部、表示制御部、回収枚数指定情報管理部の一例である。
【００２８】
ＲＯＭ１１２は、上記のようにＣＰＵ１１１が実行するプログラムのほか、ＣＰＵ１１１が利用する各種のデータを記憶する。ＲＡＭ１１３は、ＣＰＵ１１１の作業領域などとして利用される。
【００２９】
液晶タッチパネル１１４は、図１にて説明したようにＰＯＳ端末装置の正面に設けられる。液晶タッチパネル１１４は、ＣＰＵ１１１の制御に応じて所定の操作画像を表示する。また、液晶タッチパネル１１４は、タッチ操作が行われるのに応じて、そのタッチされた位置情報を出力する。ＣＰＵ１１１は、この位置情報を操作情報として処理する。これにより、液晶タッチパネル１１４に対するタッチ操作に応答した動作が実現される。
【００３０】
客側表示部１１５は、ＣＰＵ１１１の制御に応じて、前述のように、買い上げ金額、釣り銭の金額などの顧客に対して提示すべき情報を表示する。
【００３１】
印字部１１６は、取り引きごとに応じて買上商品、預かり金及び釣銭などの取り引きに関連する項目を用紙に印字し、レシートとして発行する。
【００３２】
キー操作部１１７は、前述のように、テンキー、現計キー、入金、支払、釣準備、売上回収及び商品登録に関する各種キーなどが配置される部位である。キー操作部１１７におけるキーに対して操作が行われるのに応じて、キー操作部１１７からＣＰＵ１１１に対して操作信号が出力される。ＣＰＵ１１１は入力した操作信号に応じて所定の処理を実行する。
【００３３】
カードリーダライタ１１８は、挿入されたプリペイドカードに記憶されている残額などの情報を読み出す。ＣＰＵ１１１は、このように読み出された残額から支払金額を減算するなど、所定の精算処理を実行する。また、ＣＰＵ１１１は、支払金額の減算やチャージなどにより増減させたプリペイドカードの残額をカードリーダライタ１１８に通知する。
カードリーダライタ１１８は、挿入されたプリペイドカードに記憶されている残額を、通知された残額に書き換える。
【００３４】
シリアル通信部１１９は、所定のシリアルデータ通信方式に対応するコネクタと通信機能を備える部位である。この図では、シリアル通信部１１９に対してドロア２００と自動釣銭機３００が接続されている。これにより、ドロア２００と自動釣銭機３００は、それぞれ、ＰＯＳ端末装置１００との相互通信が可能となる。
【００３５】
図３は、ＲＡＭ１１３のメモリマップの一例を模式的に示す図である。同図に示すように、メモリマップ上では、ワークエリア１２１、キーレイアウトファイル１２２、商品ファイル１２３、実績ファイル１２４、回収枚数指定情報１２５、残置枚数指定情報１２６、ニアフル枚数指定情報１２７などが配置される。
【００３６】
ワークエリア１２１は、ＣＰＵ１１１が演算のために用いるＲＡＭ１１３上の領域である。
キーレイアウトファイル１２２は、ＰＯＳ端末装置１００において物理的に備えられるキーの番号に対して割り当てた機能を示すファイルである。これにより、ＰＯＳ端末装置１００が備えるキーのそれぞれに対して、任意の機能を設定することができる。
【００３７】
商品ファイル１２３は、店舗で販売する商品ごとの情報（商品番号、商品名、価格など）を示すファイルである。
【００３８】
実績ファイル１２４は、売上実績を示すファイルである。実績ファイル１２４は、理論在高金額１２４ａ、ドロア収納金額１２４ｂ及び釣銭機収納金額１２４ｃの各情報を含む。
理論在高金額１２４ａは、例えば当日の営業において、これまでに行われた取り引きごとに対応した在高を示す。
【００３９】
ドロア収納金額１２４ｂは、ドロア２００に収納されている金額を示す。
店員は、レジの担当を交替する際などにＰＯＳ端末装置１００に対して、現在、ドロア２００に収納されている金額を入力するようにしている。ＰＯＳ端末装置１００のＣＰＵ１１１は、この入力された金額に基づいてドロア収納金額１２４ｂを更新する。
【００４０】
釣銭機収納金額１２４ｃは、自動釣銭機３００に収納されている金額を示す。
ＣＰＵ１１１は、操作に応じて、あるいは定期的に、自動釣銭機３００に対して収納金額の通知要求を送信する。収納金額の通知要求の受信に応じて、自動釣銭機３００は、現在において自己が収納している金額の通知をＰＯＳ端末装置１００に対して送信する。ＰＯＳ端末装置１００は、通知された金額に基づいて釣銭機収納金額１２４ｃを更新する。
ＣＰＵ１１１は、理論在高金額１２４ａと、ドロア収納金額１２４ｂ及び釣銭機収納金額１２４ｃの合計値とを比較することによって、理論在高金額１２４ａとして計上されている在高と、現金の在高とが一致しているか否かについて判定できる。
【００４１】
回収枚数指定情報１２５は、釣銭の予備としてドロア２００に収納するために自動釣銭機３００から回収すべき現金についての貨幣種別ごとの枚数を示す情報である。なお、本実施形態において「回収」とは、自動釣銭機３００に収納されている現金のうちの一定額を、釣銭の排出とは異なる目的のために自動釣銭機３００から引き出すことをいう。
図４は、回収枚数指定情報１２５の構造例を示している。同図に示すように、回収枚数指定情報１２５は、貨幣種別ごとに回収枚数を対応させた構造である。ＲＡＭ１１３は、回収枚数指定情報記憶部の一例である。
店員がＰＯＳ端末装置１００に対して自動釣銭機３００からの現金の回収を指示する操作を行うのに応じて、ＰＯＳ端末装置１００は、回収枚数指定情報１２５を自動釣銭機３００に対して送信する。
【００４２】
自動釣銭機３００は、受信した回収枚数指定情報１２５が示す貨幣種別ごとの枚数に従って現金を排出するように動作する。この際、自動釣銭機３００は、前述のように、貨幣種別ごとに順次現金を排出する。また、自動釣銭機３００は、前述のように、先に貨幣種別が紙幣の貨幣を排出し、次に貨幣種別が硬貨の貨幣を排出する。
【００４３】
また、本実施形態のＰＯＳシステムにおいては、残置と呼ばれる現金の回収も行うことができる。残置とは、自動釣銭機３００に収納されている現金のうちから、貨幣種別ごとに予め定めた枚数を残すように現金を回収することである。
回収枚数指定情報１２５に基づく現金の回収では、自動釣銭機３００に収納されている金額に係わらず自動釣銭機３００から排出される金額（つまり、回収される金額）が一定となるが、残置による回収では、自動釣銭機３００に収納されている金額に係わらず自動釣銭機３００に残る（残置される）金額が一定になる。
なお、以降においては、回収枚数指定情報１２５に基づく現金の回収方法については、定額回収とも呼び、残置などの他の現金の回収方法と区別する。
【００４４】
残置枚数指定情報１２６は、上記のように自動釣銭機３００から残置による現金の回収にあたり自動釣銭機３００に残すべき貨幣種別ごとの枚数を示す情報である。
【００４５】
図５は、自動釣銭機３００の構成例を示している。なお、この図において図１と同一部分には同一符号を付して説明を省略する。
【００４６】
同図に示す自動釣銭機３００は、紙幣排出部３０１、センサ３０１ａ、硬貨排出部３０２、センサ３０２ａ、紙幣投入部３０３、硬貨投入部３０４、表示部３０５、制御部３１０、搬送部３２０及び貨幣収納部３３０を備える。
【００４７】
制御部３１０は、ＣＰＵ、ＲＯＭ、ＲＡＭなどにより構成され、自動釣銭機３００における各部を制御する。また、制御部３１０は、ＰＯＳ端末装置１００におけるシリアル通信部１１９と通信を実行する。また、制御部３１０は、表示部３０５に対する表示制御を実行する。
【００４８】
搬送部３２０は、貨幣（紙幣、硬貨）を搬送する部位である。搬送部３２０は、紙幣投入部３０３に投入された紙幣と、硬貨投入部３０４に投入された硬貨を、それぞれ、貨幣収納部３３０に搬送する。
【００４９】
また、搬送部３２０は、制御部３１０により指定された排出対象の貨幣種別と排出枚数に従って、各貨幣を貨幣収納部３３０から紙幣排出部３０１または硬貨排出部３０２に搬送する。なお、本実施形態におけるＰＯＳシステムが扱う貨幣種別として、紙幣については１万円札、５千円札、２千円札、千円札となり、硬貨については、５００円硬貨、１００円硬貨、５０円硬貨、１０円硬貨、１円硬貨となる。
また、制御部３１０が搬送部３２０に現金の排出を指示する場合としては、以下の２つになる。１つは、顧客が投入した預かり金に応じて釣銭を出すべき場合である。もう１つは、自動釣銭機３００からの現金の回収のために、自動釣銭機３００からの現金の排出を指示する操作が行われた場合である。
【００５０】
搬送部３２０は、入金貨幣種別検出部３２１と出金貨幣種別検出部３２２を備える。入金貨幣種別検出部３２１は、預かり金として入金された現金の入金貨幣種別を検出する。つまり、入金貨幣種別検出部３２１は、紙幣投入部３０３及び硬貨投入部３０４に投入（入金）された紙幣と硬貨ごとの貨幣種別と、貨幣種別ごとの枚数を検出する。そして、制御部３１０は、この検出結果を示す入金貨幣種別情報を生成し、ＰＯＳ端末装置１００に対して送信される。
【００５１】
制御部３１０は、上記預かり金として入金された金額と、ＰＯＳ端末装置１００から通知された買上金額に基づいて釣銭の金額を算出する。そして、制御部３１０は、この算出された釣銭を現金として出金するにあたり、その貨幣種別と貨幣種別ごとの枚数を決定し、搬送部３２０に通知する。搬送部３２０は、通知された貨幣種別と貨幣種別ごとの枚数に従って、貨幣収納部３３０から貨幣（紙幣、硬貨）を搬送し、紙幣排出部３０１と硬貨排出部３０２から排出させる。
また、現金の回収に応じた操作がＰＯＳ端末装置１００に対して行われた場合、ＰＯＳ端末装置１００から自動釣銭機３００に対して、貨幣種別ごとに排出すべき枚数を示す貨幣排出指示が送信される。制御部３１０は、貨幣排出指示が示す貨幣種別と、貨幣種別ごとの枚数を通知する。この場合にも、搬送部３２０は、通知された貨幣種別と貨幣種別ごとの枚数にしたがって、貨幣収納部３３０から貨幣を搬送し、紙幣排出部３０１または硬貨排出部３０２から排出させる。
【００５２】
貨幣収納部３３０は、搬送部３２０により搬送されてきた紙幣と硬貨を、それぞれ貨幣種別別に収納する部位である。
【００５３】
ドロア２００に収納する現金を自動釣銭機３００から回収するために店員が行う操作手順と、操作手順に応じた本実施形態のＰＯＳシステムの動作の一例について、図６から図８を参照して説明する。
【００５４】
図６は、ＰＯＳ端末装置１００の液晶タッチパネル１１４に表示される商品登録画面の一例を示している。商品登録画面は、取り引きごとに対応して買い上げ商品をＰＯＳ端末装置１００に登録する際に表示される画面である。
【００５５】
そのうえで、同図に示す商品登録画面においては、例えば「釣機回収」との文字が表示された回収指示ボタンＢＴ１が配置されている。回収指示ボタンＢＴ１は、自動釣銭機３００に収納されている現金（貨幣）を回収する操作を行うための貨幣回収操作画面の表示を指示する操作が行われるボタンである。
商品登録画面は、買い上げ商品の登録に際して表示される画面であり、メインとなる画面の１つである。このような画面に対する操作によって貨幣回収操作画面を表示できるようにすることで、貨幣回収操作画面についても簡単に表示させることが可能になる。
【００５６】
例えば、図６に示した回収指示ボタンＢＴ１が操作されるのに応じて、液晶タッチパネル１１４は貨幣回収操作画面が表示される状態に遷移する。
図７は、液晶タッチパネル１１４に表示される貨幣回収操作画面の態様例を示している。同図に示す貨幣回収操作画面においては、貨幣種別が示されるアイコンＩｃｎごとに対応して、「回収枚数」、「回収前」、「回収後」のそれぞれに対応する枚数が表示される。
【００５７】
「回収枚数」として示される枚数は、対応の貨幣種別について、回収枚数指定情報１２５が示す枚数を示す。つまり、自動釣銭機３００から現金を回収するにあたり、対応の貨幣種別について予め定められた回収すべき枚数を示す。
「回収前」の枚数は、現在、自動釣銭機３００において収納されている対応の貨幣種別の枚数を示す。
「回収後」の枚数は、「回収前」の枚数に対する「回収枚数」の差分を示す。つまり、現在の状態から、「回収枚数」が示す枚数分の回収を行った場合に自動釣銭機３００に残る対応の貨幣種別の枚数を示す。
【００５８】
店員は、図７のように表示される内容を見ることで、回収枚数指定情報１２５として設定されている貨幣種別ごとの回収枚数と、貨幣種別ごとの現在の枚数と、回収後に残る貨幣種別ごとの枚数とを容易に把握することができる。
【００５９】
また、図７の貨幣回収操作画面において、５００円硬貨については、「回収枚数」が５枚、「回収前」の枚数が５枚であることで、「回収後」の枚数が０となっている。また、図示していないが、「回収枚数」が「回収前」の枚数よりも多い場合には、「回収後」の枚数が負の値となる。
このように「回収後」の枚数が０あるいは０より少ない状態は、その貨幣種別について釣銭としての予備が無いという好ましくない状態を示している。そこで、貨幣回収操作画面において、「回収後」の枚数が０である貨幣種別に対応する「回収後」の枚数に関する内容については、「回収後」の枚数が１以上である貨幣種別とは異なる態様により表示されるようにする。
具体例として、「回収後」の枚数が「０」である場合、この「０」の数字について赤色の文字色とし、一方。「回収後」の枚数として１以上の数字が表示される場合には、これらの数字について赤色以外の所定の文字色（例えば、黒色）を設定するとことができる。
【００６０】
また、図７の貨幣回収操作画面における「回収方法」の領域には、「設定データ」ボタンＢＴ１１、「全て」ボタンＢＴ１２、「残置」ボタンＢＴ１３、「万券」ボタンＢＴ１４、「紙幣」ボタンＢＴ１５、「硬貨」ボタンＢＴ１６及び「フル金種」ＢＴ１７ボタンが配置されている。
【００６１】
「設定データ」ボタンＢＴ１１は、回収枚数指定情報１２５により指定される回収枚数に従って自動釣銭機３００から現金を回収するという、定額回収を選択するのに操作されるボタンである。
「全て」ボタンＢＴ１２は、自動釣銭機３００に収納されている全ての現金を回収するという回収方法を選択するのに操作されるボタンである。
「残置」ボタンＢＴ１３は、残置枚数指定情報１２６により指定される貨幣種別ごとの枚数を残して現金を回収する残置としての回収方法を選択するのに操作されるボタンである。
【００６２】
「万券」ボタンＢＴ１４は、１万円札のみを全て回収するという回収方法を選択するのに操作されるボタンである。
「紙幣」ボタンＢＴ１５は、紙幣の貨幣種別のみを全て回収するという回収方法を選択するのに操作されるボタンである。
「硬貨」ボタンＢＴ１６は、硬貨の貨幣種別のみを全て回収するという回収方法を選択するのに操作されるボタンである。
【００６３】
また、自動釣銭機３００は、貨幣種別ごとに収納可能な最大枚数が定められているとともに、貨幣種別ごとに最大枚数未満の所定の閾値が定められている。収納枚数が閾値を越えた状態は、「ニアフル」と呼ばれ、そのままにしておけば収納枚数が最大枚数に到達して貨幣を収納できなくなる可能性が高い状態として扱われる。
「フル金種」ＢＴ１７ボタンは、ニアフルの状態にある貨幣種別のみについて、残置枚数指定情報１２６により指定される枚数が自動釣銭機３００において残る状態となるまで回収するという回収方法を選択するのに操作されるボタンである。
このように、本実施形態のＰＯＳシステムにおいては、定額回収以外の回収方法によっても、自動釣銭機３００から現金を回収することができる。
【００６４】
図７に示されている貨幣種別ごとの「回収枚数」、「回収前」、「回収後」の枚数は、「設定データ」ボタンＢＴ１１に対する操作に応じて定額回収が選択されている状態に対応した表示である。
ここで、「全て」ボタンＢＴ１２、「残置」ボタンＢＴ１３、「万券」ボタンＢＴ１４、「紙幣」ボタンＢＴ１５、「硬貨」ボタンＢＴ１６及び「フル金種」ＢＴ１７ボタンのいずれかが操作されて、定額回収以外の回収方法が選択されるのに応じて、貨幣回収操作画面における「回収枚数」、「回収前」、「回収後」の表示も変更される。
【００６５】
一例として、図７に示す状態から「紙幣」ボタンＢＴ１５が操作されて紙幣の貨幣種別のみを全て回収する回収方法が選択された場合、貨幣回収操作画面における「回収枚数」、「回収前」、「回収後」の枚数の表示は図８に示すように変更される。
つまり、紙幣（１万円札、５千円札、２千円札、千円札）の各貨幣種別については、「回収枚数」が「回収前」の枚数と同じになり、「回収後」の枚数は、いずれも０になる。
一方、硬貨（５００円硬貨、１００円硬貨、５０円硬貨、１０円硬貨、５円硬貨、１円硬貨）の各貨幣種別については、「回収枚数」はいずれも０になり、「回収後」の枚数が「回収前」の枚数と同じなる。
【００６６】
また、図示による説明は省略するが、「残置」ボタンＢＴ１３に対する操作が行われて残置回収が選択された場合、貨幣種別ごとの「回収後」の枚数が、残置枚数指定情報１２６により指定される枚数を示す。また、「回収枚数」は、「回収前」の枚数から「回収後」の枚数を減算して求められた値になる。
【００６７】
上記のように、店員は「設定データ」ボタンＢＴ１１、「全て」ボタンＢＴ１２、「残置」ボタンＢＴ１３、「万券」ボタンＢＴ１４、「紙幣」ボタンＢＴ１５、「硬貨」ボタンＢＴ１６及び「フル金種」ＢＴ１７ボタンのいずれかを操作することにより、所望の回収方法を選択できる。
そして、店員は、選択した回収方法により自動釣銭機３００から現金を回収させる場合には、同じ貨幣回収操作画面における実行ボタンＢＴ２１を操作する。
実行ボタンＢＴ２１の操作に応じて、ＰＯＳ端末装置１００は、選択された回収方法に応じた現金の排出を自動釣銭機３００に対する指示を送信する。自動釣銭機３００は、受信した現金排出の指示に応じて、選択された回収方法に対応して貨幣種別ごとにしかるべき枚数を排出するように動作する。
【００６８】
先に説明したように、図７などに示した貨幣回収操作画面は、図６の商品登録画面における回収指示ボタンＢＴ１を店員が操作することにより表示させることができる。つまり、店舗の営業中においてＰＯＳシステムが稼働中であっても、店員が商品登録画面における回収指示ボタンＢＴ１を操作すれば、いつでも貨幣回収操作画面に遷移し、自動釣銭機３００からの現金の回収を行うことが可能である。
【００６９】
本実施形態における定額回収は、開店前において現金が入っていない状態のドロア２００に、予め定めた一定額を収納するにあたって必要な現金の回収である。つまり、本実施形態における定額回収は、開店前において必ず行われる。
また、開店前には、上記のドロア２００への現金の収納の他に、ＰＯＳシステムに開設処理を実行させるための開設作業も必ず行われる。開設処理とは、ＰＯＳ端末装置１００が営業日の登録を行うための処理である。
そこで、本実施形態においては、ＰＯＳ端末装置１００が開設処理を実行しているときに、例えば液晶タッチパネル１１４に、定額回収を行ってドロア２００に現金を収納すべきことを通知するメッセージを以下に説明するように表示させる。
これにより、店員が開店前においてドロア２００に現金を収納する作業を忘れてしまうようなミスを減らすことができる。
【００７０】
開設作業として、店員は、まずＰＯＳシステムの電源をオンとする。電源がオンとされるのに応じて、ＰＯＳ端末装置１００の液晶タッチパネル１１４の画面には、例えば図９に示す開設処理画面が表示される。図９の開設処理画面においては、営業日が入力される入力ボックスと、開設処理を実行させる操作を行うための実行ボタンＢＴ３１が表示される。
入力ボックスには、営業日として当日に対応する年月日が示されている。そこで、店員は、入力ボックスに示されている年月日に間違いのないことを確認したうえで、実行ボタンＢＴ３１を操作する。
【００７１】
実行ボタンＢＴ３１が操作されるのに応じてＰＯＳ端末装置１００は開設処理を開始する。また、開設処理の開始に応じて、液晶タッチパネル１１４の開設処理画面においては、図１０に示すように、現在開設処理を実行中であることを示すメッセージボックスＭｂｘが表示される。そのうえで、例えばメッセージボックスＭｂｘ内には、ドロア２００に現金を収納するために自動釣銭機３００から定額回収を行うべきことを通知するメッセージＭｓｇがさらに表示される。
なお、メッセージＭｓｇは、開設処理においてメッセージボックスＭｂｘとは異なる領域に表示されもよい。
【００７２】
図１１のフローチャートは、自動釣銭機３００からの貨幣の回収に対応してＰＯＳ端末装置１００が実行する処理手順例を示している。
ステップＳ１０１：ＣＰＵ１１１は、電源オンの操作が行われるのに応じて、ＰＯＳシステム全体の電源をオンとする。具体的に、ＣＰＵ１１１は、ＰＯＳ端末装置１００の電源と自動釣銭機３００の電源とをそれぞれオンとする。
ステップＳ１０２：ＣＰＵ１１１は、図９、図１０にて説明したように、開設処理を開始させるための操作が行われるのに応じて開設処理を開始する。
ステップＳ１０３：ＣＰＵ１１１は、開設処理の実行中において、図１０にて示したように、開設処理画面において、自動釣銭機３００から定額回収を行うべきことを通知するメッセージＭｓｇを表示させる。
【００７３】
ステップＳ１０４：開設処理が終了するのに応じて、ＣＰＵ１１１は、図６に示した商品登録画面を液晶タッチパネル１１４に表示させる。これにより、ＰＯＳ端末装置１００は、店員の商品登録操作に応じて、買い上げ商品の登録を実行することが可能になる。
【００７４】
ステップＳ１０５：ＣＰＵ１１１は、商品登録画面が表示されている状態において、回収指示ボタンＢＴ１に対する操作が行われるのに応じて、回収指示ボタンＢＴ１に対する操作を貨幣回収操作画面の表示指示操作として受け付ける。
【００７５】
ステップＳ１０６：ＣＰＵ１１１は、貨幣回収操作画面の表示にあたり、収納枚数情報を要求する収納枚数情報要求を自動釣銭機３００に送信する。収納枚数情報は、自動釣銭機３００が収納している貨幣種別ごとの枚数を示す情報である。
ステップＳ１０７：自動釣銭機３００の制御部３１０は、収納枚数情報要求の受信に応じて、収納枚数情報要求を受信した時点で収納している貨幣種別ごとの枚数を認識し、認識した枚数を示す収納枚数情報を生成する。制御部３１０は、生成した収納枚数情報をＰＯＳ端末装置１００に送信する。ＣＰＵ１１１は、ＰＯＳ端末装置１００から送信され、シリアル通信部１１９にて受信された収納枚数情報を取得する。
【００７６】
ステップＳ１０８：ＣＰＵ１１１は、図７などに示した貨幣回収操作画面を液晶タッチパネル１１４に表示させる。
ここで、貨幣回収操作画面の初期画面においては回収方法のうち定額回収に対応した内容を表示する仕様である場合、ＣＰＵ１１１は、貨幣回収操作画面の表示の開始にあたり、以下の情報に基づいて表示内容を生成する。つまり、ＣＰＵ１１１は、貨幣回収操作画面における貨幣種別ごとの「回収枚数」、については、ＲＡＭ１１３から読み出した回収枚数指定情報１２５に基づいた数字が示されるように表示する。また、貨幣種別ごとの「回収前」の枚数については、ステップＳ１０７にて取得した収納枚数情報に基づいた数字が示されるように表示する。また、貨幣種別ごとの「回収後」の枚数については、対応の貨幣種別の「回収前」の枚数に対する「回収枚数」の差分が数字として示されるように表示する。
【００７７】
ステップＳ１０９：ＣＰＵ１１１は、貨幣回収操作画面が表示されている状態において、貨幣回収方法を選択する操作が行われたか否かについて判定する。つまり、ＣＰＵ１１１は、「設定データ」ボタンＢＴ１１、「全て」ボタンＢＴ１２、「残置」ボタンＢＴ１３、「万券」ボタンＢＴ１４、「紙幣」ボタンＢＴ１５、「硬貨」ボタンＢＴ１６及び「フル金種」ＢＴ１７ボタンのいずれかが操作されたか否かについて判定する。
貨幣回収方法を選択する操作が行われなければ、ＣＰＵ１１１は、ステップＳ１１０をスキップしてステップＳ１１１に処理を進める。
【００７８】
ステップＳ１１０：貨幣回収方法を選択する操作が行われた場合、ＣＰＵ１１１は、図８にて説明したように、選択された貨幣回収方法に応じて貨幣回収操作画面の内容を変更する。つまり、ＣＰＵ１１１は、選択された貨幣回収方法に応じて貨幣種別ごとの「回収枚数」、「回収後」の枚数などを変更する。
【００７９】
ステップＳ１１１：ＣＰＵ１１１は、貨幣回収操作画面を表示させている状態において実行ボタンＢＴ２１が操作されたか否かについて判定する。
実行ボタンＢＴ２１が操作されない場合には、ＣＰＵ１１１は、ステップＳ１０９に処理を戻す。
【００８０】
ステップＳ１１２：一方、実行ボタンＢＴ２１が操作された場合、ＣＰＵ１１１は、実行ボタンＢＴ２１の操作時に選択されていた貨幣回収方法に応じた貨幣の排出が自動釣銭機３００にて実行されるように貨幣排出制御を実行する。
このような貨幣排出制御としては、選択されていた貨幣回収方法に応じて貨幣種別ごとに排出すべき枚数を指定した貨幣排出要求を、自動釣銭機３００に送信すればよい。
【００８１】
図１２のフローチャートは、図１１のステップＳ１１２による貨幣排出制御に応じて自動釣銭機３００が実行する貨幣排出のための処理手順例を示している。図１２に示す処理手順例は、貨幣回収方法として定額回収が選択されていた場合に対応する。この場合、ＰＯＳ端末装置１００からは、回収枚数指定情報１２５が示す貨幣種別ごとの回収枚数を、貨幣種別ごとの排出すべき枚数として指定する貨幣排出要求が送信されてくる。自動釣銭機３００は、以下の処理によって、貨幣排出要求により指定された枚数の貨幣を排出する。
【００８２】
ステップＳ２０１：制御部３１０は、貨幣収納部３３０に収納されている１万円札のうちから、貨幣排出要求により指定された枚数の１万円札が紙幣排出部３０１から排出されるように、搬送部３２０を制御する。
ステップＳ２０２：制御部３１０は、ステップＳ２０１により排出させた１万円札が紙幣排出部３０１から全て取り出されるのを待機する。
ここで、センサ３０１ａは、紙幣排出部３０１に紙幣が無い状態と紙幣が有る状態とのいずれであるのかを検出する。制御部３１０は、センサ３０１ａの検出信号によって示される状態が、紙幣排出部３０１に紙幣が有る状態から紙幣が無い状態に変化するのに応じて、紙幣排出部３０１から紙幣が全て取り出されたと判定することができる。
【００８３】
なお、貨幣排出要求により指定された枚数が０である場合、上記ステップＳ２０１、Ｓ２０２のように、貨幣を排出するための制御と、排出した貨幣の全てが取り出されたか否かの判定を行う必要はない。この点については、以降における貨幣種別ごとの処理についても同様である。
【００８４】
ステップＳ２０３：ステップＳ２０２にて紙幣排出部３０１から１万円札が全て取り出されたことを判定すると、次に制御部３１０は、貨幣収納部３３０に収納されている５千円札のうちから、貨幣排出要求により指定された枚数の５千円札を紙幣排出部３０１から排出させる。
このように、本実施形態においては、貨幣種別ごとに順次貨幣の排出が行われる。さらに、排出された貨幣が排出部から全て取り出されてから、次の貨幣の排出が行われる。
ステップＳ２０４：制御部３１０は、ステップＳ２０３により排出させた５千円札が紙幣排出部３０１から全て取り出されるのを待機する。
【００８５】
ステップＳ２０５：ステップＳ２０４にて紙幣排出部３０１から５千円札が全て取り出されたことを判定すると、次に制御部３１０は、貨幣収納部３３０に収納されている２千円札のうちから、貨幣排出要求により指定された枚数の２千円札を紙幣排出部３０１から排出させる。
ステップＳ２０６：制御部３１０は、ステップＳ２０５により排出させた２千円札が紙幣排出部３０１から全て取り出されるのを待機する。
【００８６】
ステップＳ２０７：ステップＳ２０６にて紙幣排出部３０１から２千円札が全て取り出されたことを判定すると、次に制御部３１０は、貨幣収納部３３０に収納されている千円札のうちから、貨幣排出要求により指定された枚数の千円札を紙幣排出部３０１から排出させる。
ステップＳ２０８：制御部３１０は、ステップＳ２０７により排出させた千円札が紙幣排出部３０１から全て取り出されるのを待機する。
【００８７】
ステップＳ２０９：ステップＳ２０８にて紙幣排出部３０１から千円札が全て取り出されたことを判定すると、次に制御部３１０は、貨幣収納部３３０に収納されている５００円硬貨のうちから、貨幣排出要求により指定された枚数の５００円硬貨を硬貨排出部３０２から排出させる。
このように、本実施形態においては、先に紙幣の貨幣種別を排出させ、この後に硬貨の
貨幣種別を排出させるようにしている。
ステップＳ２１０：制御部３１０は、ステップＳ２０９により排出させた５００円硬貨が硬貨排出部３０２から全て取り出されるのを待機する。
ここで、センサ３０２ａは、硬貨排出部３０２に硬貨が無い状態と硬貨が有る状態とのいずれであるのかを検出する。制御部３１０は、センサ３０２ａの検出信号によって示される状態が、硬貨排出部３０２に硬貨が有る状態から硬貨が無い状態に変化するのに応じて、硬貨排出部３０２から紙幣が全て取り出されたと判定することができる。
【００８８】
ステップＳ２１１：ステップＳ２１０にて硬貨排出部３０２から５００円硬貨が全て取り出されたことを判定すると、次に制御部３１０は、貨幣収納部３３０に収納されている１００円硬貨のうちから、貨幣排出要求により指定された枚数の１００円硬貨を硬貨排出部３０２から排出させる。
ステップＳ２１２：制御部３１０は、ステップＳ２１１により排出させた１００円硬貨が硬貨排出部３０２から全て取り出されるのを待機する。
【００８９】
ステップＳ２１３：ステップＳ２１２にて硬貨排出部３０２から１００円硬貨が全て取り出されたことを判定すると、次に制御部３１０は、貨幣収納部３３０に収納されている５０円硬貨のうちから、貨幣排出要求により指定された枚数の５０円硬貨を硬貨排出部３０２から排出させる。
ステップＳ２１４：制御部３１０は、ステップＳ２１３により排出させた５０円硬貨が硬貨排出部３０２から全て取り出されるのを待機する。
【００９０】
ステップＳ２１５：ステップＳ２１４にて硬貨排出部３０２から５０円硬貨が全て取り出されたことを判定すると、次に制御部３１０は、貨幣収納部３３０に収納されている１０円硬貨のうちから、貨幣排出要求により指定された枚数の１０円硬貨を硬貨排出部３０２から排出させる。
ステップＳ２１６：制御部３１０は、ステップＳ２１５により排出させた１０円硬貨が硬貨排出部３０２から全て取り出されるのを待機する。
【００９１】
ステップＳ２１７：ステップＳ２１６にて硬貨排出部３０２から１０円硬貨が全て取り出されたことを判定すると、次に制御部３１０は、貨幣収納部３３０に収納されている５０円硬貨のうちから、貨幣排出要求により指定された枚数の５円硬貨を硬貨排出部３０２から排出させる。
ステップＳ２１８：制御部３１０は、ステップＳ２１７により排出させた５円硬貨が硬貨排出部３０２から全て取り出されるのを待機する。
【００９２】
ステップＳ２１９：ステップＳ２１８にて硬貨排出部３０２から５円硬貨が全て取り出されたことを判定すると、次に制御部３１０は、貨幣収納部３３０に収納されている１円硬貨のうちから、貨幣排出要求により指定された枚数の１円硬貨を硬貨排出部３０２から排出させる。
ステップＳ２２０：制御部３１０は、ステップＳ２１９により排出させた１円硬貨が硬貨排出部３０２から全て取り出されるのを待機する。そして、硬貨排出部３０２から１円硬貨が全て取り出されたことを判定すると、制御部３１０は、これまでの貨幣排出のための処理を終了する。
【００９３】
なお、上記図１２に示した処理手順例の場合、紙幣については、１万円札、５千円札、２千円札、千円札の順で排出され、硬貨については、５００円硬貨、１００円硬貨、５０円硬貨、１０円硬貨、５円硬貨、１円硬貨の順で排出されている。
しかし、紙幣と硬貨それぞれの貨幣種別ごとの排出順は、上記の例に限定されない。例えば、ドロア２００における貨幣種別ごとの収納部の位置に応じて、紙幣と硬貨それぞれの貨幣種別ごとの排出順を設定することもできる。
【００９４】
上記実施形態として記載した販売機について以下の付記項を開示する。
（付記項１）
自動釣銭機から回収すべき貨幣種別ごとの回収枚数を示す回収枚数指定情報を記憶する回収枚数指定情報記憶部と、自動釣銭機からの回収対象の貨幣の排出を指示する操作が行われるのに応じて、自動釣銭機に収納されている貨幣のうちから、前記回収枚数指定情報が示す貨幣種別ごとの回収枚数による貨幣が自動釣銭機から排出されるように制御する貨幣回収制御部とを備える貨幣管理装置。
【００９５】
（付記項２）
自動釣銭機からの貨幣の回収に関する操作が行われる貨幣回収操作画面の表示を指示する操作が行われるのに応じて、自動釣銭機において収納されている貨幣種別ごとの枚数を示す収納枚数情報を前記自動釣銭機から取得する収納枚数情報取得部と、
前記収納枚数情報取得部により取得された収納枚数情報に基づいて、前記自動釣銭機に収納されている貨幣種別ごとの枚数を前記貨幣回収操作画面において表示する表示制御部とをさらに備える付記項１に記載の貨幣管理装置。
【００９６】
（付記項３）
前記表示制御部は、自動釣銭機に収納されている貨幣種別ごとの枚数とともに、前記回収枚数指定情報記憶部が記憶する回収枚数指定情報が示す貨幣種別ごとの回収枚数を前記貨幣回収操作画面において表示する付記項２に記載の貨幣管理装置。
【００９７】
（付記項４）
前記貨幣回収操作画面において表示されている貨幣種別ごとの回収枚数を変更する操作が行われるのに応じて、前記回収枚数指定情報記憶部が記憶する回収枚数指定情報を変更する回収枚数指定情報管理部をさらに備える付記項３に記載の貨幣管理装置。
【００９８】
（付記項５）
前記表示制御部は、前記自動釣銭機に収納されている枚数と回収枚数との貨幣種別ごとの差分を前記貨幣回収操作画面において表示する付記項３または４に記載の貨幣管理装置。
【００９９】
（付記項６）
前記表示制御部は、前記差分がゼロあるいはゼロより少ない貨幣種別について、前記差分がゼロより大きい貨幣種別とは異なる所定の態様により表示する付記項５に記載の貨幣管理装置。
【０１００】
（付記項７）
前記表示制御部は、商品を登録する操作が行われる商品登録画面を表示するとともに、前記商品登録画面において貨幣回収操作画面の表示を指示する操作が可能なように表示する付記項２から６のいずれか一項に記載の貨幣管理装置。
【０１０１】
（付記項８）
前記表示制御部は、開設処理が実行されるのに応じて開設処理画面を表示するとともに、前記開設処理画面において、自動釣銭機から貨幣を回収するための操作を行うべきことを通知するメッセージを表示する付記項２から７のうちのいずれか一項に記載の貨幣管理装置。
これにより、ＰＯＳシステムの開設処理の際に、自動釣銭機から貨幣を回収するための操作を行うべきことが通知されるので、店員が自動釣銭機から貨幣を回収する作業を忘れるというミスが少なくなる。
【０１０２】
（付記項９）
前記表示制御部は、
前記回収枚数指定情報が示す回収枚数の貨幣を貨幣種別ごとに自動釣銭機から排出させることよる定額回収を選択する操作と、前記定額回収とは異なる自動釣銭機からの貨幣の回収方法とを選択可能なように表示する付記項２から８のうちいずれか一項に記載の貨幣管理装置。
これにより、定額回収だけではなく、他の回収方法にも対応して自動釣銭機から貨幣を回収する操作を行うことが可能になる。
【０１０３】
（付記項１０）
前記表示制御部は、
前記定額回収と前記定額回収とは異なる自動釣銭機からの貨幣の回収方法のうちから１つの回収方法が選択されるのに応じて、選択された回収方法に対応する貨幣種別ごとの回収枚数を貨幣回収操作画面において表示する付記項９に記載の貨幣管理装置。
これにより、貨幣回収操作画面上で選択した回収方法に応じて自動釣銭機から回収すべき貨幣種別ごとの枚数を、同じ貨幣回収操作画面上で確認することができる。
【０１０４】
（付記項１１）
前記表示制御部は、前記定額回収と前記定額回収とは異なる自動釣銭機からの貨幣の回収方法のうちから１つの回収方法が選択されるのに応じて、自動釣銭機に収納されている貨幣種別ごとの収納枚数と選択された回収方法に対応する貨幣種別ごとの回収枚数との差分を前記貨幣回収操作画面において表示する付記項１０に記載の貨幣管理装置。
これにより、自動釣銭機に収納されている貨幣種別ごとの収納枚数と、貨幣回収操作画面上で選択した回収方法に応じて自動釣銭機から回収すべき貨幣種別ごとの枚数との差分を、同じ貨幣回収操作画面上で確認することができる。
【０１０５】
（付記項１２）
前記貨幣回収制御部は、１つの貨幣種別に対応して排出させた貨幣の全てが自動釣銭機から取り出されたことが検出されるのに応じて、次に排出させるべき貨幣種別の貨幣を自動釣銭機から排出させる付記項１から１１のいずれか一項に記載の貨幣管理装置。
これにより、自動釣銭機３００から１つの貨幣種別の貨幣が全て取り出されてから次の貨幣種別の貨幣が排出されることになるので、排出される貨幣種別の取り扱いを効率的によく行うことが可能になる。
【０１０６】
（付記項１３）
前記貨幣回収制御部は、排出すべき貨幣種別に紙幣と硬貨が含まれる場合、貨幣種別が紙幣の貨幣を自動改札機から排出させた後、貨幣種別が硬貨の貨幣を自動釣銭機から排出させる付記項１２に記載の貨幣管理装置。
これにより、ドロアの奥側に配置される紙幣の収納部に紙幣を収納してから、ドロアの手前側に配置される硬貨の収納部に硬貨を収納していくことができるため、自動釣銭機から排出される貨幣をドロアに収納する作業を効率よく行うことができる。
【０１０７】
また、上記実施形態では、排出された貨幣をドロアへ移すために自動釣銭機３００から所定の貨幣を排出する例を説明したが、ドロアへ移すためとは限らず、他の目的により現金を準備する際に本発明を利用し自動釣銭機３００から現金を排出させるようにしてもよい。
例えば、毎日、一定時刻になると銀行へ決まった金額を振り込みに行く必要がある場合に利用してもよい。つまり、上記の実施形態における実行ボタンＢＴ２１を押下することで上記の決まった金額が排出されるようになるので、現金を事務所等へ取りに行くことなく、決まった金額の現金をすぐに準備することが可能になる。
【０１０８】
また、上記実施形態においては、ＰＯＳ端末装置１００が貨幣管理装置として機能する場合について説明した。しかし、例えばＰＯＳ端末装置１００と自動釣銭機３００とにおいて本実施形態の貨幣管理装置としての機能が適宜分散して備えられるなど、複数の装置を含むシステムによって本実施形態の貨幣管理装置の機能が実現されるようにしてもよい。
【０１０９】
なお、これまでに説明したＰＯＳ端末装置１００や自動釣銭機３００の機能を実現するためのプログラムをコンピュータ読み取り可能な記録媒体に記録して、この記録媒体に記録されたプログラムをコンピュータシステムに読み込ませ、実行することによりＰＯＳ端末装置１００や自動釣銭機３００の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１１０】
１００  ＰＯＳ端末装置
１０１  レシート発行部
１１１  ＣＰＵ
１１２  ＲＯＭ
１１３  ＲＡＭ
１１４  液晶タッチパネル
１１５  客側表示部
１１６  印字部
１１７  キー操作部
１１８  カードリーダライタ
１１９  シリアル通信部
２００  ドロア
３００  自動釣銭機
３０１  紙幣排出部
３０１ａ  センサ
３０２  硬貨排出部
３０２ａ  センサ
３０３  紙幣投入部
３０４  硬貨投入部
３０５  表示部
３１０  制御部
３２０  搬送部
３３０  貨幣収納部
【図１】
2015064810.tif 000003
【図２】
2015064810.tif 000004
【図３】
2015064810.tif 000005
【図４】
2015064810.tif 000006
【図５】
2015064810.tif 000007
【図６】
2015064810.tif 000008
【図７】
2015064810.tif 000009
【図８】
2015064810.tif 000010
【図９】
2015064810.tif 000011
【図１０】
2015064810.tif 000012
【図１１】
2015064810.tif 000013
【図１２】
2015064810.tif 000014